(57)【要約】  タング（３０）をパネルの挿入溝(２０)に挿入するための手持装置８０が開示される。前記装置は、パンチャー(１４)を駆動するように構成された動力装置１６を含む第１部分（１０）を含む。前記手持装置は、前記第１部分（１０）に連結される第２部分（１２）を含む。前記第２部分は、変位可能な前記パンチャー（１４）と案内装置（１３）とを含み、前記案内装置（１３）は、前記変位可能なパンチャー（１４）及び前記タング（３０）を案内するように構成される。前記第２部分２の外縁部（６０）は、第１位置決め要素（５４）と第２位置決め要素（５５）とを含む。前記第１位置決め要素（５４）及び前記第２位置決め要素（５５）は、前記タングの前記挿入溝への挿入（１０）中に、少なくとも部分的に前記挿入溝内に配置されるように構成される。前記変位可能なパンチャー（１４）は、前記タング（３０）を、前記手持装置から前記挿入溝（２０）内の挿入位置まで移動するように構成される。
2020504033.tif 000002
【特許請求の範囲】
【請求項１】
タング（３０）をパネル(１)の挿入溝(２０)に挿入するための手持装置（８０）において、
前記手持装置は、パンチャー(１４)を駆動するように構成された動力装置（１６）を備える第１部分（１０）を備え、
前記手持装置は、前記第１部分（１０）に連結される第２部分（１２）を備え、
前記第２部分は、変位可能な前記パンチャー（１４）と案内装置（１３）とを備え、前記案内装置（１３）は、前記変位可能なパンチャー（１４）及び前記タング（３０）を案内するように構成され、
前記第２部分（１２）の外縁部（６０）は、第１位置決め要素（５４）と第２位置決め要素（５５）とを備え、
前記第１位置決め要素（５４）及び前記第２位置決め要素（５５）は、前記タングの前記挿入溝への挿入中に、少なくとも部分的に前記挿入溝（２０）内に配置されるように構成され、
前記変位可能なパンチャー（１４）は、前記タング（３０）を、前記手持装置から前記挿入溝（２０）内の挿入位置まで移動させるように構成される、
ことを特徴とする手持装置（８０）。
【請求項２】
前記第２部分は、前記タング（３０）が前記第１位置決め要素（５４）と前記第２位置決め要素（５５）との間で変位可能であるように構成される、
請求項１に記載の手持装置。
【請求項３】
前記第１位置決め要素（５４）の内面（５１）が、前記第２位置決め要素（５５）の内面（５２）から距離を置いて配置される、
請求項１又は２に記載の手持装置。
【請求項４】
前記第２部分（１２）は、２つ以上の前記タング（３０）用のマガジン（１５）を備える、
請求項１乃至３のいずれか一項に記載の手持装置。
【請求項５】
前記マガジン（１５）は、第１の前記タングの上方に第２の前記タングを収納するように構成される、
請求項４に記載の手持装置。
【請求項６】
前記タング（３０）は細長い形状を有し、
前記タングの長手方向は、前記変位可能なパンチャー（１４）の変位方向に対して直交する、
請求項１乃至５のいずれか一項に記載の手持装置。
【請求項７】
前記挿入溝は細長い形状を有し、
前記挿入溝の長手方向は、前記パネルの縁部に対して平行である、
請求項１乃至６のいずれか一項に記載の手持装置。
【請求項８】
前記タング（３０）は細長い形状を有し、
前記タングの長手方向は、前記挿入位置において、前記挿入溝（２０）の前記長手方向に対して平行である、
請求項７に記載の手持装置。
【請求項９】
前記装置は、ハンドル（５０）を、好適には前記第１部分に備える、
請求項１乃至８のいずれか一項に記載の手持装置。
【請求項１０】
前記第１部分は、前記変位可能なパンチャー（１４）のストロークを作動させるためのトリガ（６１）を備える、
請求項１乃至９のいずれか一項に記載の手持装置。
【発明の詳細な説明】
【技術分野】
【０００１】
本発明の実施形態は、タングをパネルの挿入溝に挿入するための方法及び装置に関する。パネルは、タングを備える係止装置によって、隣接するパネルに対して直交してに配置されて係止されるように構成される。パネルは互いに組み付けられて係止され得る。これにより、本棚、食器棚、たんす、箱、引出、又は家具構成要素等の家具製品が得られる。
【背景技術】
【０００２】
従来の家具製品は、複数の要素又はパネルによって組み立てられる。パネルは、例えば、ＷＯ２０１２／１５４１１３号に開示されているような機械的係止装置を用いて組み立てることができる。製品は、機械的係止装置により第２パネルに対して直交して連結された第１パネルを備える。機械的係止装置は、第１パネルにおける縁部タングと、第２パネルにおける縁部溝と、挿入溝内の可撓性タングとを備える。
【０００３】
ＷＯ２０１５／０３８０５９号は、挿入溝内に可撓性タングを備える機械的係止装置により係止された複数のパネルによって組み立てられた製品を開示している。
【０００４】
一般に、パネルの係止装置は、多数のフライス工具を含む連続製造方法によって製造ラインで製造される。縁部溝及び挿入溝は、パネルの前縁部から後縁部まで連続して延びてもよい。好適には、縁部溝は、前縁部において装飾層によって覆われる。例えば、ＳＥ１６５０１３５‐５号及びＷＯ２０１７／１３５８７４号に開示されるように、縁部溝及び挿入溝は、前縁部及び／又は後縁部の手前で終端してもよい。
【０００５】
本発明の実施形態は、タングをパネルの挿入溝に挿入するための改良された装置を提供する必要性に対処する。
【発明の概要】
【０００６】
したがって、本発明の実施形態は、タングを挿入溝部に挿入するための装置を提供することにより、当技術分野における単数又は複数の欠陥、不利点、又は問題を軽減、低減又は解消することを目的とする。好適には、本装置は手で持つ（手持）か、組立台に取り付けられるように構成される。
【０００７】
本発明の実施形態の更なる目的は、短い連続生産に適した高い柔軟性を有する装置を提供することである。
【０００８】
詳細な説明から明らかとなるこれら及び他の目的及び利点の少なくともいくつかは、タングを家具パネル又は床パネル等のパネルの挿入溝に挿入するための手持装置を含む本発明の態様により達成された。装置は、パンチャーを駆動するように構成された動力装置を備える第１部分を備える。装置は、第１部分に連結される第２部分を備える。第２部分は、変位可能なパンチャーと案内装置とを備え、案内装置は、変位可能なパンチャー及びタングを案内するように構成される。第２部分の外縁部は、第１位置決め要素と第２位置決め要素とを備える。第１位置決め要素及び第２位置決め要素は、タングの挿入溝への挿入中に、少なくとも部分的に挿入溝内に配置されるように構成される。変位可能なパンチャーは、タングを、手持装置から挿入溝内の挿入位置まで移動させるように構成される。
【０００９】
好適には、第２部分は、タングが第１位置決め要素と第２位置決め要素との間で変位可能であるように構成される。
【００１０】
好適には、第１位置決め要素の内面が、第２位置決め要素の内面から距離を置いて配置される、好適には、この距離は、タングの長手方向長さと本質的に等しい。
【００１１】
第１位置決め要素と第２位置決め要素との間で変位するように構成されたパンチャーの外幅は、タングの長手方向長さと本質的に等しくてもよい。
【００１２】
タングは細長い形状を有していてもよく、タングの長手方向は、変位可能なパンチャーの変位方向に対して直交する。
【００１３】
挿入溝は細長い形状を有していてもよく、挿入溝の長手方向は、パネルの縁部に対して平行である。
【００１４】
タングは細長い形状を有していてもよく、タングの長手方向は、挿入位置において、挿入溝の長手方向に対して平行である。
【００１５】
装置は取付装置を備えてもよい。装置は、取付装置によって保持具又は組立台に取り付けられるように構成されてもよい。
【００１６】
第２部分は、２つ以上の前記タング用のマガジンを備えてもよい。
【００１７】
マガジンは、第１の前記タングの上方に第２の前記タングを収納するように構成されてもよい。マガジンは、第２方向に対して本質的に直交して延びる。
【００１８】
マガジンは、タングが正しい配向においてマガジンに容易に装填されるように構成されてもよい。実施形態は、タングが正しい状態でしか装填され得ないように、タングの外径に適合した開口を有する天板を含み得る。
【００１９】
装置は、ハンドルを、好適には第１部分に備えてもよい。
【００２０】
第１部分は、変位可能なパンチャーのストロークを作動させるためのトリガを備えてもよい。
【００２１】
ハンドルは、変位可能なパンチャーのストロークを作動させるためのトリガを備えてもよい。
【００２２】
溝は細長い形状を有し、パネルの上面に沿って長手方向に延びる。
【００２３】
タングは細長い形状を有していてもよく、タングの長手方向は、挿入溝の長手方向に対して平行であってもよい。
【００２４】
タングは細長い形状を有していてもよく、タングの長手方向は、変位可能なパンチャーの変位方向に対して直交してもよい。
【００２５】
タングは細長い形状を有していてもよく、第１長縁部及び第２長縁部とを備えてもよい。
【００２６】
タングは可撓性のタングであってもよく、例えばポリマーから構成されてもよく、好適には繊維等の強化材料、例えばグラスファイバーを含んでもよい。
【００２７】
タングは、第１長縁部に撓み部分と、好適には撓み部分に隣接する溝とを備えてもよい。撓み部分は、この撓み部分に隣接する溝に押し込まれるように構成されてもよい。タングは、複数の前記撓み部分と、好適には複数の前記溝とを備えてもよい。
【００２８】
タングは、ポリマー材料を含んでもよく、好適には射出成形により製造される。
【００２９】
縁部溝及び挿入溝は、パネルの前縁部から後縁部まで連続的に延びてもよい。
【００３０】
本発明の実施形態のこれらの及び他の態様、特徴及び利点が、添付図面を参照してなされる本発明の実施形態についての以下の説明から明らかになるであろう。
【図面の簡単な説明】
【００３１】
【図１】本発明の実施形態による手持装置の実施形態を示す三次元図。
【図２】本発明の実施形態による手持装置の実施形態の横断面図。
【図３Ａ】本発明の実施形態による図２に示す装置の実施形態の一部の拡大図。
【図３Ｂ】本発明の実施形態による図２に示す装置の実施形態の一部の拡大図。
【図４】本発明の実施形態による図２に示す装置の実施形態の一部の拡大図。
【図５Ａ】第２部分の実施形態の一部の実施形態の三次元図。
【図５Ｂ】第２部分の実施形態の一部の実施形態の三次元図。
【図６Ａ】第１部分の実施形態の一部の実施形態の三次元図。
【図６Ｂ】第２部分の実施形態の一部の実施形態の三次元図。
【図７Ａ】本発明の実施形態によるタングの実施形態を示す図。
【図７Ｂ】本発明の実施形態によるタングの実施形態を示す図。
【図７Ｃ】本発明の実施形態によるタングの実施形態を示す図。
【図７Ｄ】本発明の実施形態によるタングの実施形態を示す図。
【図８Ａ】本発明の実施形態によるタングの実施形態を示す図。
【図８Ｂ】本発明の実施形態によるタングの実施形態を示す図。
【図８Ｃ】本発明の実施形態によるタングの実施形態を示す図。
【図８Ｄ】本発明の実施形態によるタングの実施形態を示す図。
【図９Ａ】本発明の実施形態によるパネルの実施形態を示す図。
【図９Ｂ】本発明の実施形態によるパネルの実施形態を示す図。
【図９Ｃ】本発明の実施形態によるパネルの実施形態を示す図。
【図９Ｄ】本発明の実施形態によるパネルの実施形態を示す図。
【発明を実施するための形態】
【００３２】
次に、本発明の特定の実施形態を添付図面を参照しつつ説明する。しかしながら、本発明は、多くの異なる形態において具体化され得るとともに、本明細書に記載の実施形態に限定されると解釈されるべきではない。むしろ、これらの実施形態は、本開示が完璧に完全であり、且つ本発明の範囲を当業者に十分に伝えるように提供される。添付図面に示される実施形態について詳細な説明で使用される用語は、本発明を限定することを意図していない。図面において、同様の符号は同様の要素を指す。
【００３３】
タングのパネルの挿入溝への挿入を改良し得る手持装置の実施形態を図１乃至図６Ｂに示す。
【００３４】
図１は手持装置の実施形態を示す三次元図であり、図２は実施形態を示す横断面図である。実施形態は、パンチャー１４を駆動するように構成された動力装置１６を備えた第１部分１０と、第１部分１０に連結された第２部分１２とを備える。
【００３５】
図３Ａは、第２部分が変位可能なパンチャー１４と案内装置１３とを備え、案内装置１３が変位可能なパンチャー１４及びタング３０を案内するように構成されていることを示す。第２部分１２の外縁部６０は、第１位置決め要素５４と第２位置決め要素５５とを備える。第１位置決め要素５４及び第２位置決め要素５５は、タングの挿入溝２０への挿入中に、少なくとも部分的に挿入溝２０内に配置されるように構成される。変位可能なパンチャー１４は、タング３０を、手持装置から挿入溝２０内の挿入位置まで移動させるように構成される。
【００３６】
図３Ａは、タング３０の挿入溝２０への挿入中の、図２に示すいくつかの部品の拡大図である。図３Ｂは、パネル１の縁部３における挿入溝２０内の挿入位置にあるタング３０を示す。
【００３７】
第２部分は、タング３０が第１位置決め要素５４と第２位置決め要素５５との間で変位可能であるように構成され得る。
【００３８】
パネル１は、第１方向９１において延びる上面１１を有し得る。挿入溝の深さ方向は、第１方向９１に対して角度９３をなす第２方向９２において延び得る。角度９３は、約０°乃至約９０°の範囲、好適には約１０°乃至約４５との範囲にあってもよいし、又は約２５°である。
【００３９】
手持装置は、挿入中に、好適には、案内装置が挿入溝の深さ方向に対して平行な方向に延びる状態で配置される。
【００４０】
第２部分１２は、２つ以上の前記タング３０のためのマガジン１５を備え得る。マガジンは、第１のタングの上方に第２のタングを収納するように構成され得る。また、マガジン１５は、変位可能なパンチャー１４の変位方向に対して本質的に直交して延びてもよい。
【００４１】
第２部分は、下方構造部４１を備え得る。マガジン１５は、下方構造部４１に対して本質的に直交して延び得る。マガジンの実施形態を図４の横断面図に示す。マガジンは、マガジンフレーム４２と、マガジンフレーム４２に配置されたタングを供給するように構成された供給装置６２とを備える。供給装置は、タングのマガジンフレーム４２への装填を容易とするように、ヒンジ６３によって下部に旋回可能６４に取り付けられる。
【００４２】
案内装置１３は、可撓性案内要素５６を、案内装置の外側部分に備え得る。可撓性案内要素は、タング３０を挿入溝２０内に案内するように構成される。
【００４３】
挿入溝２０は、パネルの縁部３に対して平行な長手方向を有する細長い形状を有し得る。
【００４４】
タング３０は細長い形状を有し得る。タングの長手方向は、挿入溝２０の長手方向に対して平行であり得る。
【００４５】
タング３０は細長い形状を有し得る。タングの長手方向は、変位可能なパンチャー１４の変位方向に対して直交する。
【００４６】
第２部分の実施形態の下部を図５Ａに三次元図で示す。実施形態は、好適には、第１位置決め要素５４の内面５１が、第２位置決め要素５５の内面５２から距離を置いて配置されていることを示す。好適には、この距離は、タングの長手方向長さに等しい。第２部分１２は、下方構造部４１を備える。
【００４７】
第１位置決め要素と第２位置決め要素との間で変位するように構成されたパンチャーの外幅は、タングの長手方向長さに本質的に等しくてもよい。
【００４８】
図５Ｂは、マガジンフレーム４２の実施形態を三次元図で示す。マガジンは、図５Ａに示す下部に取り付けられ得る。フレームは、マガジンフレームの上部の開口を介してタングを装填するように構成されている。
【００４９】
マガジン１５は、タングが正しい配向においてマガジンフレーム４２にに容易に装填されるように構成され得る。マガジンフレームの実施形態は、装填開口４４を有する天板４３を備え得る。装填開口４４は、タングが正しい状態でしか装填され得ないように、タングの外径に適合している。
【００５０】
図６Ａは、図５Ｂに示すマガジンフレーム４２に配置されたタングを供給するように構成された供給装置６２を三次元図で示す。供給装置は、タングを変位可能なパンチャー１４に向かって変位させるように構成された変位可能要素６５を備える。変位可能要素は、バネ荷重され得る。供給装置は、タングのマガジンフレーム４２への装填を容易とするように、ヒンジによって図５Ａに示す下部に旋回可能６４に取り付けられ得る。
【００５１】
供給装置６２は、タングがマガジンフレームに装填される前に、マガジンフレーム４４の装填開口４４から離れるように枢動６４され得る。
【００５２】
２つ以上の前記タング３０を備えるタングセットは、ストリップ、ピン、又は溶接等の解除可能な連結によって互いに連結され得る。解除可能な連結は、タングセットのマガジンフレーム４２への装填時に取り外され得る。好適には、解除可能な連結は、タングセットの前方のタングを変位可能なパンチャー１４によって変位させるとタングセットの前側タングが解除されるようなものとされる。
【００５３】
図６Ｂは、第１部分１０の実施形態を三次元図で示す。実施形態は、後部のハンドル５０と、前部の別のハンドル５０’と、トリガ６１とを備える。第１部分は、図５Ａに示す第２部分の下方構造部４１に取り付けられ得る。
【００５４】
実施形態は、第２部分の交換可能な実施形態を含み得る。第２部分の各実施形態は、特定のタングの実施形態用に構成される。第２部分の第１交換可能実施形態は、第１長手方向長さを有するタング用に構成されてもよく、第２部分の第２交換可能実施形態は、第２長手方向長さを有するタング用に構成される。第２長手方向長さは、第１長手方向長さより短くても長くてもよい。
【００５５】
図９Ａ‐９Ｄに示すように挿入溝２０内で変位可能とされ得るタング３０の実施形態を図７Ａ‐７Ｄに示す。図７Ａ‐７Ｂに示すタングの第１実施形態は、タングの第１長縁部に撓み突出部３１を備える。第１実施形態は、図７Ａでは弛緩状態で、図７Ｂでは圧縮状態で示される。タングの第２長縁部は、好適には本質的にまっすぐである。第１実施形態は、撓み突出部が挿入溝の底部に面するとともに、第２縁部が挿入溝の開口を超えて延びる状態で、挿入溝に挿入され得る。図７Ｃに弛緩状態で示されるタングの第２実施形態は、細長い形状を有するとともに可撓性である。第２実施形態は、タングの第１長縁部及び本質的にまっすぐな第２縁部に凹部３７を備える。第２実施形態の圧縮状態において、凹部が縮小する。第２実施形態は、凹部３７が挿入溝の底部に面するとともに、第２縁部が挿入溝の開口を超えて延びる状態で、挿入溝に挿入され得る。図７Ｄに示すタングの第３実施形態は、可撓性を有し圧縮されるように構成された第１部分３８と、剛性を有する第２部分３９とを備える。第１部分は挿入溝に配置され得るとともに、第２部分は挿入溝の開口を超えて部分的に延び得る。
【００５６】
タングは、例えばその全体の内容が参照により本明細書に組み込まれる、例えばＷＯ２００６／０４３８９３号及びＷＯ２００７／０１５６６９号に開示される変位可能なタングの任意の実施形態として構成され得る。
【００５７】
タングは、可撓性であってもよく、例えばポリマーから構成されてもよく、好適には繊維等の強化材料、例えばグラスファイバーを含んでもよい。
【００５８】
タング３０の他の実施形態を、図８Ａ‐８Ｄに示す。タングは、細長い形状をしており、第１短縁部３４と、反対側の第２短縁部３６と、第１長縁部及び第２長縁部３２を備える。図８Ｄは、図８Ａに示す丸で囲んだ領域Ａの拡大図である。タングは、第１長縁部に複数の撓み部分３１と、各撓み部分３１に溝３３とを備える。タングは、ポリマー材料を含み得るとともに、好適には射出成形により製造される。撓み部分３１は、タングが圧縮された状態において、溝３３内に押し込まれるように構成されている。
【００５９】
図８Ａは、第１短縁部３４における第１レール３５によって、及び第２短縁部における第２レール３７によって、タングブランク内の複数のタング（図示せず）に接続されるタングの実施形態を示す。第１レール及び第２レールは、タングに対して直交する長手方向に延びる。タングは、それぞれ第１及び第２鋳造ゲートによって、鋳造ゲートであり得る第１レール及び／又は第２レールに接続され得る。タングは、装置に取り付けられるように構成されたマガジン内に積み重ねられる前に、第１及び／又は第２レールから分離される。
【００６０】
図８Ｂ及び図８Ｃは、タング３０を横断面図で示す。図８Ｂではタングが弛緩状態にあり、図８Ｃではタングが圧縮状態にある。撓み部分３１の外側部分と第２長縁部３２との間の距離は、弛緩状態よりも圧縮状態の方が短い。
【００６１】
好適には、タングは、パネルの挿入溝に挿入されて、このパネルを隣接するパネルに係止するように構成される。
【００６２】
図９Ａ‐９Ｄは、パネル１のいくつかの実施形態を示し、各実施形態は、隣接するパネル２に連結された挿入溝２０の実施形態に挿入されたタング３０の実施形態を含む。図９Ａ‐９Ｄに示すパネルの実施形態は、家具パネルであり得る。また、図９Ｃに示すパネルの実施形態は、床パネルであり得る。
【００６３】
図９Ａはパネル１を示し、このパネル１は、隣接するパネル２に対して直交する配置されるとともに、この隣接するパネルに第１の方向、及び第１方向に対して直交する第２方向において係止されている。パネルは、パネルの上面に縁部溝２１を備える。縁部溝２１は長手方向の形状を有するとともに、パネル１の縁部に沿って延びる。縁部溝は、前記挿入溝２０を備え得る。挿入溝２０は縁部溝に沿って延びるとともに、前記タング３０を備える。隣接するパネルは縁部タング２２を備える。縁部タング２２は、隣接するパネルの縁部に沿って延びるタング溝１０を備える。タング３０は、タング溝１０と協働してパネル１を隣接するパネル２に第１方向において互いに係止するように構成される。縁部タング２２は、縁部溝２１と協働してパネル１を隣接するパネル２に第２方向において互いに係止するように構成される。
【００６４】
図９Ｂはパネル１を示し、このパネル１は、隣接するパネル２に対して直交して配置されるとともに、この隣接するパネルに第１方向及び第１方向に対して直交する第２方向において係止されている。隣接するパネルは、隣接するパネルの上面に縁部溝２１を備える。縁部溝２１は長手方向の形状を有するとともに、隣接するパネル１の縁部に沿って延びる。縁部溝は、タング溝１０を備える。パネルは、縁部タング２２を備える。縁部タング２２は、前記タング３０を備える前記挿入溝２０を備える。挿入溝は、縁部タングに沿って延びる。タング３０は、タング溝１０と協働してパネル１を隣接するパネル２に第１方向において互いに係止するように構成される。縁部タング２２は、縁部溝２１と協働してパネル１を隣接するパネル２に第２方向において互いに係止するように構成される。
【００６５】
図９Ｃはパネル１を示し、このパネル１は、隣接するパネル２に対して平行に配置されるとともに、この隣接するパネルに第１方向及び第１方向に対して直交する第２方向において係止されている。パネルは、パネルの縁部に沿って延びる前記挿入溝２０を備える。縁部は、縁部から突出するストリップを備える。ストリップは、上方に突出する係止要素を備える。隣接するパネル２は、この隣接するパネル２の隣接する縁部に沿って延びるタング溝１０を備える。隣接する縁部は、下方を向く開口を有する係止溝を備える。タング３０は、タング溝１０と協働してパネルを隣接するパネルに第１方向において係止するように構成される。係止要素は、係止溝と協働してパネルを隣接するパネルに第２方向において係止するように構成される。前記第１及び第２パネルの実施形態は、隣接するパネルの隣接する縁部に挿入溝２０と、パネルの縁部にタング溝１０とを備える。
【００６６】
図９Ｄは、図８Ａに示すパネル及び隣接するパネルの実施形態を三次元図で示す。縁部タング２２は隣接するパネルの縁部４に沿って延び、隣接するパネル２の隣接する縁部６の手前で終端する。縁部溝２１はパネル１の縁部３に沿って延び、パネル１の隣接する縁部５の手前の側壁２３で終端する。
【００６７】
上記のパネル及び隣接するパネルの実施形態のコア材料は、ＨＤＦ、ＭＤＦ、合板、無垢材、又はパーチクルボード等の木質繊維ベースボード、又は強化プラスチックボード、又は木質繊維複合材ボードを含み得る。コアには装飾層が設けられ得る。
【図１】
2020504033.tif 000003
【図２】
2020504033.tif 000004
【図３Ａ】
2020504033.tif 000005
【図３Ｂ】
2020504033.tif 000006
【図４】
2020504033.tif 000007
【図５Ａ】
2020504033.tif 000008
【図５Ｂ】
2020504033.tif 000009
【図６Ａ】
2020504033.tif 000010
【図６Ｂ】
2020504033.tif 000011
【図７Ａ】
2020504033.tif 000012
【図７Ｂ】
2020504033.tif 000013
【図７Ｃ】
2020504033.tif 000014
【図７Ｄ】
2020504033.tif 000015
【図８Ａ】
2020504033.tif 000016
【図８Ｂ】
2020504033.tif 000017
【図８Ｃ】
2020504033.tif 000018
【図８Ｄ】
2020504033.tif 000019
【図９Ａ】
2020504033.tif 000020
【図９Ｂ】
2020504033.tif 000021
【図９Ｃ】
2020504033.tif 000022
【図９Ｄ】
2020504033.tif 000023
【国際調査報告】
2020504033.tif 000024
2020504033.tif 000025
2020504033.tif 000026
2020504033.tif 000027
2020504033.tif 000028
2020504033.tif 000029
2020504033.tif 000030